(57)【要約】【課題】コマ玩具の衝突可能性を高めることができるコマ玩具遊戯台を提供すること。【解決手段】コマ玩具Ａを回すための遊戯面２に配設された複数のターンテーブル３０と、モータ４１と、前記モータ４１の動力を前記ターンテーブル３０に伝達して当該ターンテーブル３０を回転させる動力伝達機構４０とが設けられている。このコマ玩具遊戯台１によれば、複数のターンテーブル３０によってコマ玩具Ａが様々な方向へ軌道変更される。その結果、コマ玩具Ａの衝突可能性を高めることができる。【選択図】図１
2017209158.tif 000002
【特許請求の範囲】
【請求項１】
放たれたコマ玩具が動き回るための遊戯面に配設された複数のターンテーブルと、モータと、前記モータの動力を前記ターンテーブルに伝達して当該ターンテーブルを回転させる動力伝達機構とが設けられていることを特徴とするコマ玩具遊戯台。
【請求項２】
前記遊戯面は、中心且つ下方に行くに従って縮径されたすり鉢状に形成されるとともに、前記遊戯面の中心を外した部位に前記ターンテーブルが配設されていることを特徴とする請求項１に記載のコマ玩具遊戯台。
【請求項３】
少なくとも１つの前記ターンテーブルの回転方向又は回転速度を変更するための手段が設けられていることを特徴とする請求項１又は２に記載のコマ玩具遊戯台。
【請求項４】
互いに異なる方向に回転可能な前記ターンテーブルを含むことを特徴とする請求項１から請求項３のいずれか一項に記載のコマ玩具遊戯台
【請求項５】
前記遊戯面は、中心且つ下方に行くに従って縮径された環状傾斜面と、当該環状傾斜面の下端開口に嵌合し中心且つ下方に行くに従って縮径する円盤とによって構成され、当該円盤内に前記ターンテーブルが配設されていることを特徴とする請求項１〜４のいずれか一項に記載のコマ玩具遊戯台。
【請求項６】
前記円盤は機枠の一端部に配設され、当該機枠内には、前記モータと、当該モータの駆動軸と、前記ターンテーブルの回転軸とを歯車列によって連係させた前記動力伝達機構が収容され、前記機枠の他端部に電源スイッチが配設されていることを特徴とする請求項５に記載のコマ玩具遊戯台。
【請求項７】
中央部に開口を有し、前記遊戯面を覆うようなカバーが配設されていることを特徴とする請求項１〜６のいずれか一項に記載のコマ玩具遊戯台。
【請求項８】
前記カバーの周壁の一部が半径方向外方に膨出し、その膨出部と前記コマ玩具遊戯台の台座の周壁との間にコマ玩具を放出するための空間が形成されていることを特徴とする請求項７に記載のコマ玩具遊戯台。
【発明の詳細な説明】
【技術分野】
【０００１】
本発明は、コマ玩具を回して遊ぶためのコマ玩具遊戯台に関し、特に、複数のコマ玩具を衝突させて遊ぶためのコマ玩具遊戯台に関する。
【背景技術】
【０００２】
従来、コマ玩具を回して遊ぶためのコマ玩具遊戯台として、複数のコマ玩具を衝突させて遊ぶためのコマ玩具遊戯台が知られている。このようなコマ玩具遊戯台は、一般的に、すり鉢状の遊戯面を有しており、遊戯面に放たれた複数のコマ玩具が中央部へと移動するように形成されている。そして、中央部へと移動したコマ玩具同士を衝突させ、相手方のコマを倒したり、遊戯台から弾き飛ばしたりして勝負を決する。
【０００３】
しかしながら、遊戯面を単にすり鉢状とした場合、コマ玩具が回転に伴って中央部へと移動するだけなので、コマ玩具の動きが単調となってしまう。そこで、コマ玩具の動きの軌道を変化させるための工夫を凝らしたコマ玩具が提供されている（例えば、特許文献１）。
【０００４】
特許文献１に開示されたコマ玩具遊戯台は、下方に行くに従って縮径する（径が小さくなる）環状縁部と、当該環状縁部の下端に画成される開口部に配設されるターンテーブルとによって遊戯面が形成されるとともに、ターンテーブルの上面の一部に凹部が形成されたものである。このコマ玩具遊戯台によれば、遊戯面上に放たれたコマ玩具は、環状縁部の傾斜によってターンテーブルに誘導され、回転するターンテーブルの遠心力により動きの軌道が変化させられる。
【先行技術文献】
【特許文献】
【０００５】
【特許文献１】特許第５８０２３６７号公報
【発明の概要】
【発明が解決しようとする課題】
【０００６】
しかしながら、１つのターンテーブルを設けるだけでは、ターンテーブルの上に乗ったコマ玩具の動きは大体同じで単調となるため、コマ玩具の衝突可能性を高めるには十分でない。
そこで、コマ玩具に複雑な動きをさせ、コマ玩具の衝突可能性がさらに高くなるコマ玩具遊戯台の出現が望まれていた。
本発明は、コマ玩具の衝突可能性が高いコマ玩具遊戯台を提供することを目的とする。
【課題を解決するための手段】
【０００７】
請求項１のコマ玩具遊戯台は、放たれたコマ玩具が動き回るための遊戯面に配設された複数のターンテーブルと、モータと、前記モータの動力を前記ターンテーブルに伝達して当該ターンテーブルを回転させる動力伝達機構とが設けられていることを特徴とする。モータの電源はコマ玩具遊戯台自体が持っていてもよいし、外部電源であってもよい。
【０００８】
請求項２のコマ玩具遊戯台は、請求項１に記載のコマ玩具遊戯台であって、前記遊戯面は、中心且つ下方に行くに従って縮径されたすり鉢状に形成されるとともに、前記遊戯面の中心を外した部位に前記ターンテーブルが配設されていることを特徴とする。
【０００９】
請求項３のコマ玩具遊戯台は、請求項１又は請求項２に記載のコマ玩具遊戯台であって、少なくとも１つの前記ターンテーブルの回転方向又は回転速度を変更するための手段が設けられていることを特徴とする。
【００１０】
請求項４のコマ玩具遊戯台は、請求項１から請求項３のいずれか一項に記載のコマ玩具遊戯台であって、互いに異なる方向に回転可能な前記ターンテーブルを含むことを特徴とする。
【００１１】
請求項５のコマ玩具遊戯台は、請求項１から請求項４のいずれか一項に記載のコマ玩具遊戯台であって、前記遊戯面は、中心且つ下方に行くに従って縮径された環状傾斜面と、当該環状傾斜面の下端開口に嵌合し中心且つ下方に行くに従って縮径する円盤とによって構成され、当該円盤内にターンテーブルが配設されていることを特徴とする。
【００１２】
請求項６のコマ玩具遊戯台は、請求項５に記載のコマ玩具遊戯台であって、前記円盤は機枠の一端部に配設され、当該機枠内には、前記モータと、当該モータの駆動軸と、前記ターンテーブルの回転軸とを歯車列によって連係させた前記動力伝達機構が収容され、前記機枠の他端部に電源スイッチが配設されていることを特徴とする。
【００１３】
請求項７のコマ玩具遊戯台は、請求項１から請求項６のいずれか一項に記載のコマ玩具遊戯台であって、中央部に開口を有し、前記遊戯面を覆うようなカバーが配設されていることを特徴とする。
【００１４】
請求項８のコマ玩具遊戯台は、請求項７に記載のコマ玩具遊戯台であって、前記カバーの周壁の一部が半径方向外方に膨出し、その膨出部と前記コマ玩具遊戯台の台座の周壁との間にコマ玩具を放出するための空間が形成されていることを特徴とする。
【発明の効果】
【００１５】
本発明のコマ玩具遊戯台によれば、複数のターンテーブルによってコマ玩具が軌道変更されるので、コマ玩具の衝突可能性を高めることができる。
【００１６】
請求項２のコマ玩具遊戯台によれば、すり鉢状の遊戯面の上のコマ玩具は中央側に寄る途中でターンテーブルに捕捉されるので、コマ玩具に複雑な動きをさせることができる。
【００１７】
請求項３のコマ玩具遊戯台によれば、ターンテーブルの回転方向を変化せることによってより複雑な動きをコマ玩具にさせることができる。
【００１８】
請求項４のコマ玩具遊戯台によれば、互いに異なる方向に回転するターンテーブルを含むので、その分、互いに異なる方向に回転するコマ玩具の優劣が解消され、公平なバトルを楽しむことができる。
【００１９】
請求項５のコマ玩具遊戯台によれば、円盤にターンテーブルが配設されており、円盤とターンテーブルとを一体的に取り扱うことができるので、組み付け作業が容易になる。
【００２０】
請求項６のコマ玩具遊戯台によれば、モータ、動力伝達機構及び電源スイッチを機枠に纏めたので、さらに、組み付け作業が容易になる。
【００２１】
請求項７のコマ玩具遊戯台によれば、カバーによってコマ玩具の飛出し方向等が規制されることになる。
【００２２】
請求項８のコマ玩具遊戯台によれば、跳ね飛ばされたコマ玩具は、膨出部の壁によって台座の周辺に案内されるので、コマ玩具の飛散が確実に防止される。
【図面の簡単な説明】
【００２３】
【図１】本発明に係るコマ玩具遊戯台の一実施形態を示した斜視図である。
【図２】本実施形態のコマ玩具遊戯台の分解斜視図である。
【図３】本実施形態のコマ玩具遊戯台におけるターンテーブルの動力伝達機構を示した概念図である。
【図４】図１に示したコマ玩具遊戯台の概念的な縦断面図である。
【図５】円盤の平面図である。
【図６】本実施形態のコマ玩具遊戯台におけるターンテーブルの動力伝達機構の変形例を示した概念図である。
【発明を実施するための形態】
【００２４】
以下、本発明に係るコマ玩具遊戯台を図面に示した実施形態に基づいて説明する。
【００２５】
図１は、コマ玩具遊戯台の一実施形態を示した斜視図、図２は、図１のコマ玩具遊戯台を分解して示した斜視図である。
実施形態のコマ玩具遊戯台１は、遊戯面２の周縁部を形成する台座１０と、遊戯面２の中央部２ｂを形成する円盤２０と、円盤２０内に当該円盤２０の上面と略面一に設置される２つのターンテーブル３０と、この２つのターンテーブル３０の動力伝達機構４０（図３参照）を収容する機枠５０と、台座１０の上部を覆うカバー６０とを備えている。
【００２６】
台座１０は、図２に示すように、略円筒状を成し、上端部に中心且つ下方に行くに従って縮径する環状傾斜面（遊戯面）２ａを有している。台座１０の周壁１１の３か所には、半径方向外方に向かって突出し、カバー６０の下端を保持するための支持台部１２が形成されている。また、台座１０の周壁１１には、支持台部１２間に、機枠５０の一部を収容する突出部１３が形成されている。さらに、台座１０には、周壁１１の一部が上方に突出する位置決め壁１４が形成されている。
【００２７】
上記円盤２０は、機枠５０の端部に固定して設けられている。この円盤２０の上面は、中心且つ下方に行くに従って縮径する湾曲面によって形成されている。そして、この円盤２０は台座１０の環状斜面２ａの円形下端に嵌合される。上記ターンテーブル３０は、この円盤２０の直径方向の２か所に配設されている。この場合のターンテーブル３０の上面は特に限定はされないが平面となっている。
【００２８】
機枠５０には、図３に示すように、モータ４１と、当該モータ４１の動力を伝達しターンテーブル３０を回転させるための歯車列４２と、モータ４１の電源スイッチ４３が設置され、モータ４１とスイッチ４３との間には電池収容部４４が形成されている。歯車列４２は動力伝達機構４０の一部を構成している。モータ４１は正逆回転可能なモータであり、電源スイッチ４３はモータ４１の回転方向切り替えスイッチも兼用している。すなわち、中立位置が電源オフ、その位置から一方向に移動させるとモータ４１は一方向に回転し、その位置から他方向に移動させるとモータ４１は他方向に回転する。
なお、モータ４１は正逆回転可能なモータとしないで、ターンテーブル３０の数だけ設けてもよいし、また、３つ以上のターンテーブル３０がある場合にはその一部に正逆転可能なモータを使用してもよい。また、モータ４１は回転方向に代えて又は回転方向に加えて回転速度が変更できるものであってもよい。
【００２９】
動力伝達機構４０には、一方のターンテーブル３０の軸３０ａを中心に回転可能に支持されたレバー４５が配設されている。このレバー４５の一端には、ターンテーブル３０の歯車４２ａに常時噛合する移動中間歯車４２ｂと、当該移動中間歯車４２ｂに常時噛合する補助歯車４２ｃとが設置されている。そして、レバー４５を一方（実線の方向）に回転させたときには、移動中間歯車４２ｂがモータ側中間歯車４２ｄに噛合し、且つ補助歯車４２ｃがモータ側中間歯車４２ｄから離れる。一方、レバー４５を他方（２点鎖線の方向）に回転させたときには、移動中間歯車４２ｂがモータ側中間歯車４２ｄから離れ、且つ補助歯車４２ｃがモータ側中間歯車４２ｄに噛合する。
したがって、レバー４５を操作することによって、２つのターンテーブル３０を同方向に回転させたり、反対方向に回転させたりすることができる。なお、実施形態では、一方のターンテーブル３０に反転機構を配設しているが、他のターンテーブル３０にも反転機構を配設することもできる。
なお、ターンテーブル３０の回転方向はコマ玩具Ａの回転に大きな影響を与える。コマ玩具Ａの回転方向は上面視で時計方向又は回転方向の双方がある。この場合、例えば、ターンテーブル３０の回転方向とコマ玩具Ａの回転方向が異なると、コマ玩具Ａの回転が増速され、ターンテーブル３０の回転方向とコマ玩具Ａの回転方向が同じであると、コマ玩具Ａの回転が減速される。換言すれば、ターンテーブル３０の回転方向が２つとも同じ場合には、一の方向の回転をするコマ玩具には有利となり、他の方向の回転をするコマ玩具には不利となり、公平なバトルができない。そのため、互いに回転方向の異なるコマ玩具Ａをバトルさせるときには、２つのターンテーブル３０の場合には互いに逆方向にターンテーブル３０を回転させることが好ましい。
【００３０】
ここで、上記実施形態の円盤２０は、図４に示すように、遊戯面２ｂが中心下方に行くに従って縮径された湾曲面によって形成されている。したがって、ターンテーブル３０は遊戯面２ｂに倣って傾斜されることから、ターンテーブル３０の回転軸３０ａが傾斜することとなり、歯車列４２の歯車４２ｂに対してターンテーブル３０の歯車４２ａが傾斜した状態で噛合することになる。しかし、この場合の両歯車４２ａ,４２ｂの傾斜は僅かなので、図４におけるＢ部を拡大して示したように、両歯車４２ａ,４２ｂの一方を傾斜させて互いに噛合させることになる。
【００３１】
このように構成された機枠５０は次のようにして台座１０に設置される。
すなわち、台座１０の中央部分の大きな孔の上方から先ず機枠５０の棒状部分を遊戯面２の周縁部２ａの下側に潜り込ませる。続いて、円盤２０を環状斜面２ａの円形下端に上方から嵌め込み、円盤２０の外周部の一部を台座１０に形成した棚１６に載せ、スイッチ４３を台座１０の突出部１３の孔１３ａから露出させる。このようにして、機枠５０は台座１０に設置される。
【００３２】
次に、カバー６０について説明する。
カバー６０は、内側が見通せるように透明合成樹脂によって形成されている。このカバー６０は、台座１０の周壁１１の外面に接する周壁６１を有している。カバー６０の上部は、台座１０の遊戯面２ａの周縁上方を覆う環状の天井壁６２が中心方向に張出している。カバー６０の周壁６１の一部には、周方向外方に突出する膨出部６３と、台座１０の位置決め壁１４を覆う膨出部６４とが形成されている。また、周壁６１の下端には、半径方向外方に張出すフランジ６５が形成されており、フランジ６５には台座１０の支持台部１２の締結部１２ａへ嵌合する連結手段６６が形成されている。
【００３３】
以上のように構成されたコマ玩具遊戯台１では、スイッチ４３を操作することによってモータ４１が駆動され、歯車列４２を介してそれぞれのターンテーブル３０が回転される。なお、モータ４１は正逆回転可能なモータであり、モータ４１の回転方向に応じてターンテーブル３０の回転方向を変えることができる。
【００３４】
この状態で、複数のコマ玩具Ａを遊戯面２上に放つと、コマ玩具Ａは、傾斜する遊戯面２ａによって円盤２０の遊戯面２ｂに誘導される。そして、遊戯面２ｂ上のコマ玩具Ａがターンテーブル３０上に移動すると、コマ玩具Ａは、ターンテーブル３０と遊戯面２ｂとの境界に沿ってターンテーブル３０の周りで公転される。
すなわち、上述したように、円盤２０の遊戯面２ｂを湾曲させターンテーブル３０の上面を平面とした場合には、図５に示すように、ターンテーブ３０と円盤２０との間（Ｃ部）の一部に段差が生じることになる。その結果、ターンテーブル３０上のコマ玩具Ａは、段差に沿って公転移動し、遠心力によって段差が無い箇所に至った所で、又は、遠心力の高まりによって段差を乗り越えてターンテーブル３０の外部に放出されることになる。
その結果、コマ玩具Ａの軌道が変化し、他のコマ玩具Ａとの衝突の可能性が高まることになる。
【００３５】
このようにして放出されたコマ玩具Ａ同士が衝突する。それによって一方のコマ玩具Ａが弾き飛ばされるが、そのコマ玩具Ａは、カバー６０の膨出部６３によって案内されて台座１０の周囲に落下するため飛び散ることはない。
【００３６】
以上、本発明の実施形態を説明したが、本発明は、かかる実施形態に限定されず、その発明の要旨を変更しない範囲で、種々変形が可能であることは言うまでもない。
例えば、上記実施形態では、ターンテーブル３０を円盤２０に２つ配設しているが、３つ以上配設することもできる。
【００３７】
また、上記実施形態では、ターンテーブル３０を円盤２０に配設しているが、円盤２０を台座１０と一体に形成し、その遊戯面２にターンテーブル３０を配設することもできる。
【００３８】
また、上記実施形態では、歯車列４２を構成する歯車の軸を上下方向に延在するように構成したが、歯車４２ａに対して歯車４２ｂの傾斜が大きい場合には、図６に示すように、歯車列４２を構成する歯車の軸を横方向に延在するようにし、歯車４２ａ,４２ｂを傘歯車によって噛合させればよい。すなわち、ターンテーブル３０の回転軸３０ａの歯車４２ａとその歯車に噛合する中間歯車４２ｂとを傘歯車等にして回転軸３０ａの方向を変更させる。このようにすれば、回転軸３０ａが傾斜していても簡単に中間歯車４２ｂと歯車４２ａとを噛合させることができる。
【００３９】
また、上記実施形態では、モータ４１の動力を歯車機構を介してターンテーブル３０に伝達したが、ベルト伝動機構等を介してターンテーブル３０に伝達するようにしてもよい。
【符号の説明】
【００４０】
１  コマ玩具遊戯台   
２  遊戯面
２ａ  環状傾斜面（遊戯面）
２ｂ  中央部（遊戯面）
２０  円盤
３０  ターンテーブル
３０ａ  回転軸
４０  動力伝達機構
４１  モータ
５０  機枠
Ａ  コマ玩具
【図１】
2017209158.tif 000003
【図２】
2017209158.tif 000004
【図３】
2017209158.tif 000005
【図４】
2017209158.tif 000006
【図５】
2017209158.tif 000007
【図６】
2017209158.tif 000008
【手続補正書】
【提出日】平成28年9月12日(2016.9.12)
【手続補正１】
【補正対象書類名】明細書
【補正対象項目名】００１２
【補正方法】変更
【補正の内容】
【００１２】
請求項６のコマ玩具遊戯台は、請求項５に記載のコマ玩具遊戯台であって、前記円盤は機枠の一端部に配設され、当該機枠内には、前記モータと、当該モータの駆動軸と前記ターンテーブルの回転軸とを歯車列によって連係させた前記動力伝達機構とが収容され、前記機枠の他端部に電源スイッチが配設されていることを特徴とする。
【手続補正２】
【補正対象書類名】特許請求の範囲
【補正対象項目名】全文
【補正方法】変更
【補正の内容】
【特許請求の範囲】
【請求項１】
放たれたコマ玩具が動き回るための遊戯面に配設された複数のターンテーブルと、モータと、前記モータの動力を前記ターンテーブルに伝達して当該ターンテーブルを回転させる動力伝達機構とが設けられていることを特徴とするコマ玩具遊戯台。
【請求項２】
前記遊戯面は、中心且つ下方に行くに従って縮径されたすり鉢状に形成されるとともに、前記遊戯面の中心を外した部位に前記ターンテーブルが配設されていることを特徴とする請求項１に記載のコマ玩具遊戯台。
【請求項３】
少なくとも１つの前記ターンテーブルの回転方向又は回転速度を変更するための手段が設けられていることを特徴とする請求項１又は２に記載のコマ玩具遊戯台。
【請求項４】
互いに異なる方向に回転可能な前記ターンテーブルを含むことを特徴とする請求項１から請求項３のいずれか一項に記載のコマ玩具遊戯台
【請求項５】
前記遊戯面は、中心且つ下方に行くに従って縮径された環状傾斜面と、当該環状傾斜面の下端開口に嵌合し中心且つ下方に行くに従って縮径する円盤とによって構成され、当該円盤内に前記ターンテーブルが配設されていることを特徴とする請求項１〜４のいずれか一項に記載のコマ玩具遊戯台。
【請求項６】
前記円盤は機枠の一端部に配設され、当該機枠内には、前記モータと、当該モータの駆動軸と前記ターンテーブルの回転軸とを歯車列によって連係させた前記動力伝達機構とが収容され、前記機枠の他端部に電源スイッチが配設されていることを特徴とする請求項５に記載のコマ玩具遊戯台。
【請求項７】
中央部に開口を有し、前記遊戯面を覆うようなカバーが配設されていることを特徴とする請求項１〜６のいずれか一項に記載のコマ玩具遊戯台。
【請求項８】
前記カバーの周壁の一部が半径方向外方に膨出し、その膨出部と前記コマ玩具遊戯台の台座の周壁との間にコマ玩具を放出するための空間が形成されていることを特徴とする請求項７に記載のコマ玩具遊戯台。
【手続補正書】
【提出日】平成28年12月8日(2016.12.8)
【手続補正１】
【補正対象書類名】明細書
【補正対象項目名】０００７
【補正方法】変更
【補正の内容】
【０００７】
請求項１のコマ玩具遊戯台は、放たれたコマ玩具が動き回るための遊戯面に配設された複数のターンテーブルと、モータと、前記モータの動力を前記ターンテーブルに伝達して当該ターンテーブルを回転させる動力伝達機構とが設けられ、
前記遊戯面は、中心且つ下方に行くに従って縮径されたすり鉢状に形成されるとともに、前記遊戯面の中心を外した部位に前記ターンテーブルが配設され、
前記ターンテーブルは上面が前記遊戯面に倣うように傾斜して配設され、前記ターンテーブルの回転軸は前記上面の傾斜に対応して当該回転軸が前記遊戯面の中心側に向けて倒れる方向に傾斜していることを特徴とする。モータの電源はコマ玩具遊戯台自体が持っていてもよいし、外部電源であってもよい。
【手続補正２】
【補正対象書類名】明細書
【補正対象項目名】０００８
【補正方法】変更
【補正の内容】
【０００８】
請求項２のコマ玩具遊戯台は、請求項１に記載のコマ玩具遊戯台であって、前記ターンテーブルの上面は平面であることを特徴とする。
【手続補正３】
【補正対象書類名】明細書
【補正対象項目名】００１６
【補正方法】変更
【補正の内容】
【００１６】
また、本発明のコマ玩具遊戯台によれば、すり鉢状の遊戯面の上のコマ玩具は中央側に寄る途中でターンテーブルに捕捉されるので、コマ玩具に複雑な動きをさせることができる。
【手続補正４】
【補正対象書類名】特許請求の範囲
【補正対象項目名】全文
【補正方法】変更
【補正の内容】
【特許請求の範囲】
【請求項１】
放たれたコマ玩具が動き回るための遊戯面に配設された複数のターンテーブルと、モータと、前記モータの動力を前記ターンテーブルに伝達して当該ターンテーブルを回転させる動力伝達機構とが設けられ、
前記遊戯面は、中心且つ下方に行くに従って縮径されたすり鉢状に形成されるとともに、前記遊戯面の中心を外した部位に前記ターンテーブルが配設され、
前記ターンテーブルは上面が前記遊戯面に倣うように傾斜して配設され、前記ターンテーブルの回転軸は前記上面の傾斜に対応して当該回転軸が前記遊戯面の中心側に向けて倒れる方向に傾斜していることを特徴とするコマ玩具遊戯台。
【請求項２】
前記ターンテーブルの上面は平面であることを特徴とする請求項１に記載のコマ玩具遊戯台。
【請求項３】
少なくとも１つの前記ターンテーブルの回転方向又は回転速度を変更するための手段が設けられていることを特徴とする請求項１又は請求項２に記載のコマ玩具遊戯台。
【請求項４】
互いに異なる方向に回転可能な前記ターンテーブルを含むことを特徴とする請求項１〜３のいずれか一項に記載のコマ玩具遊戯台。
【請求項５】
前記遊戯面は、中心且つ下方に行くに従って縮径された環状傾斜面と、当該環状傾斜面の下端開口に嵌合し中心且つ下方に行くに従って縮径する円盤とによって構成され、当該円盤内に前記ターンテーブルが配設されていることを特徴とする請求項１〜４のいずれか一項に記載のコマ玩具遊戯台。
【請求項６】
前記円盤は機枠の一端部に配設され、当該機枠内には、前記モータと、当該モータの駆動軸と前記ターンテーブルの回転軸とを歯車列によって連係させた前記動力伝達機構とが収容され、前記機枠の他端部に電源スイッチが配設されていることを特徴とする請求項５に記載のコマ玩具遊戯台。
【請求項７】
中央部に開口を有し、前記遊戯面を覆うようなカバーが配設されていることを特徴とする請求項１〜６のいずれか一項に記載のコマ玩具遊戯台。
【請求項８】
前記カバーの周壁の一部が半径方向外方に膨出し、その膨出部と前記コマ玩具遊戯台の台座の周壁との間にコマ玩具を放出するための空間が形成されていることを特徴とする請求項７に記載のコマ玩具遊戯台。